(57)【要約】【課題】本発明は骨盤やその周辺を持続的に温めて血液の循環が良好になることにより、温熱効果による多種類の痛みの緩和が可能になると共に心地良い温かさが得られる骨盤用発熱性シートを提供することを目的とする。【解決手段】シート本体１を、吸湿発熱繊維によって編み込まれた布地で作られたものと成す。またシート本体１が、弾性を有した布地で作られたものとして良い。更にシート本体１の一面に粘着部２を設けたものとするのが好ましい。【選択図】図１
2014014474.tif 000002
【特許請求の範囲】
【請求項１】
少なくともシート本体（１）が、吸湿発熱繊維によって編み込まれた布地であることを特徴とする骨盤用発熱性シート。
【請求項２】
前記シート本体（１）が弾性を有した布地である請求項１記載の骨盤用発熱性シート。
【請求項３】
前記シート本体（１）の一面に粘着部（２）が設けられた請求項１又は２記載の骨盤用発熱性シート。
【発明の詳細な説明】
【技術分野】
【０００１】
本発明は心地良い温かさで常時骨盤やその周辺を直接温める骨盤用発熱性シートに関する。
【背景技術】
【０００２】
骨盤周辺には血管が多く通っており、また骨盤の近くにある太腿の付け根には太い血管やリンパ管が通っている。このため、骨盤を温めることで血液の循環が良くなり、冷え症を改善し、ダイエットに役立ち、股関節痛の痛みなどを和らげることが出来ることが良く知られている。前記骨盤を温める場合には、風呂で半身浴するか、或いは使い捨てカイロなどを用いて温めることが行われている。この骨盤を温める方法は、持続時間が短く、いつまでもその状態を保持することは困難であった。特に使い捨てカイロを使用すると、温度が高くなり過ぎて火傷し易くなるため、その発熱源の表面に布を巻いて、温める温度が高くならないように調整する必要があると共に持続時間が短いため、新たなものを用意して所定時間（持続時間）毎に交換しなければならならず面倒であった。
【０００３】
一方、骨盤を温めて冷え症の改善や生理痛を緩和させる目的で提案されたものとして、特開２００３ー２７５２３７「生理用ナプキン」がある。この構造は、パイプ綿等の吸収体を不透液性のバックシートと透液性のトップシートとで挟んだ構造の生理用ナプキンであり、バックシートとトップシートとの間に遠赤外線を放射する遠赤外線放射材を設けたものであった。また遠赤外線放射材を、１平方メートル当り２グラム以上３０グラム以下の配合で設けたものである。更に遠赤外線放射材を扁平な袋に包んだ形で設け、それを生理用ナプキン製造ラインに供給できるので、バックシートと吸収体とトップシート等を相互に貼り合わせて行くラインに於いて遠赤外線放射材が散るのを略確実に防止できるものであった。
【０００４】
しかしながら、特開２００３ー２７５２３７は、遠赤外線放射材は備長炭の微粉末が用いられ、消臭作用が発揮できる新規な生理用ナプキンであるが、この生理用ナプキンは使い捨て用であり、繰返して使用できないものであった。しかも、備長炭の微粉末は経血等の液体が含浸されると、遠赤外線を放射する能力が低下し、温熱効果が小さいものとなっていた。
【先行技術文献】
【特許文献】
【０００５】
【特許文献１】特開２００３ー２７５２３７号公報
【発明の概要】
【発明が解決しようとする課題】
【０００６】
本発明は骨盤やその周辺を持続的に温めて温熱効果による痛みの緩和が可能になると共に心地良い温かさが得られる骨盤用発熱性シートを提供することを目的とする。
【課題を解決するための手段】
【０００７】
本発明は上記現状に鑑みて成されたものであり、つまり、少なくともシート本体を、吸湿発熱繊維によって編み込まれた布地で作られたものと成す。またシート本体が弾性を有した布地で作られると良い。更にシート本体の一面に粘着部を設けたものとするのが良い。
【発明の効果】
【０００８】
請求項１のように少なくともシート本体（１）が、吸湿発熱繊維によって編み込まれた布地と成すと共にこれをパンツの内面や下着の内面に貼り付けることにより、骨盤やその周辺を常時温めることが可能となり、血液の循環が良くなって、温熱効果が得られるものとなるため、冷え症や生理痛の改善に役立つことが期待でき、ダイエットにも役立つと共に、股関節痛の痛みなどを和らげることが可能となる。更に何回も繰返して洗っても心地良い温かさがいつまでも得られるものとなる。しかも従来の使い捨てカイロを使用する場合と異なり、低温火傷する心配は全くないものとなる。
【０００９】
請求項２のようにシート本体（１）が弾性を有した布地とすることにより、シート本体（１）が骨盤やその周辺に密着して接触されるものとなるため、骨盤やその周辺を安定して温めることが可能となり、従来の温湿布が施されていた多種類の症状に対して、鎮痛する役目の援助がより有効なものとなる。
【００１０】
請求項３に示すようにシート本体（１）の一面に粘着部（２）を設けることにより、簡単に骨盤やその周辺に設けることが出来るものとなり、より効果的に温めることが可能となり、温熱効果により有効に発揮できるものとなる。
【図面の簡単な説明】
【００１１】
【図１】本発明の実施形態を示す説明図である。
【図２】本実施形態の粘着部の断面を示す説明図である。
【図３】本発明の使用状態を示す説明図である。
【発明を実施するための形態】
【００１２】
本発明の実施形態を図１に基づいて説明する。（１)は骨盤やその周辺、特に排血口対応領域と略同じ範囲に設けられる図１（ａ）に示すような四角形状或いは図１（ｂ）に示すような長円形状のシート本体であり、該シート本体（１）の大きさは、生理用ナプキンと略同じ大きさのものを用いると良く、そのシート本体（１）としては、吸湿発熱繊維によって編み込まれた柔軟で弾性を有する布地を使用する。また前記シート本体（１）の吸湿発熱繊維としては、湿気を吸って熱を出し、心地良い温度が確保されるものである。前記吸湿発熱繊維やその布地としては、例えば、東洋紡ＡＰ事業部製のモイスケア（登録商標名）や、ユニクロ製のヒートテック（登録商標名）と同質材料などを用いるのが好ましい。尚、前記シート本体（１）は、通気性や吸湿発熱機能を有した不織布を用いても良い。
【００１３】
（２）はシート本体（１）の一面に設けられた粘着部であり、該粘着部（２）はシート本体（１）を排血口対応領域と略同じ範囲に固定させるためのものである。また前記粘着部（２）の表面には図示しない剥離紙が貼り付けられている。この粘着部（２）は、図１（ａ）に示す如くシート本体（１）の両端部及び中間部に細めの筋形状として設けると良く、又、図１（ｂ）に示すようにシート本体（１）の長手方向に沿って細めの筋形状のものを設けると良い（図２、図１参照）。この粘着部（２）は、筋幅を狭くして、シート本体（１）の通気性を確保させるのが好ましい。尚、前記粘着部（２）は筋形状に限定されるものではない。
【００１４】
次に本発明の作用について説明する。先ず始めに本発明品を図３に示すようにパンツ（３）の内側で、且つ、従来の生理用ナプキンを配置させる位置、つまり、排血口と骨盤や股関節の周辺に位置するように貼り付けて取付ける。そして、このパンツ（３）を穿けば良い。この時、シート本体（１）の布地に弾性があれば、肌側に密着し、その部位の肌の湿気を吸収して熱が生じる。この熱によって骨盤や股関節の周辺が温められると共に常時気持ちの良い温度で温めることが可能となるため、冷え症や生理痛の改善に役立ち、股関節痛などの痛みを和らげることが可能となる。更に血流の循環が良好になることにより、ダイエットにも役立つものとなる。しかも、低温火傷せずに血流が良好となり、治癒力が向上し、特に痛みが緩和される。又、本発明品は何回も繰返して洗濯が可能であり、洗っても心地良い温かさがいつまでも得られる。尚、洗濯後、粘着部（２）は、粘着力が低下するので、古いものは剥がして、新たに用意した両面粘着テープを貼着して粘着部（２）と成すのが好ましい。
【符号の説明】
【００１５】
１  シート本体
２  粘着部
【図１】
2014014474.tif 000003
【図２】
2014014474.tif 000004
【図３】
2014014474.tif 000005